(57)【要約】【課題】  イジェクト動作の信頼性の向上を図る。【解決手段】  シャーシ１２に回動自在に支持されディスク状記録媒体１００を保持するディスク保持部３７を有すると共に待受位置と引込位置との間で回動されるイジェクトレバー３６と、イジェクトレバーに取り付けられた被押圧部材３９と、駆動モーター１９によって所定の方向へ移動されるスライダー２０と、スライダーの移動に伴って回動されイジェクト時に被押圧部材を押圧する押圧部２６ａを有する駆動レバー２５とを設け、駆動レバーの押圧部によって押圧される被押圧部材の押圧される位置及び方向がイジェクトレバーと駆動レバーの各回動位置に応じて変化するようにした。【選択図】        図３７
2008226357.tif 000002
【特許請求の範囲】
【請求項１】
ディスク挿入口から挿入されてローディングされたディスク状記録媒体が装着されるディスクテーブルと、
シャーシに回動自在に支持されディスク挿入口から挿入されたディスク状記録媒体を保持するディスク保持部を有すると共にディスク挿入口から挿入されるディスク状記録媒体をディスク保持部が待ち受ける待受位置とディスク保持部に保持されたディスク状記録媒体を引き込む引込位置との間で回動されるイジェクトレバーと、
イジェクトレバーに取り付けられた被押圧部材と、
駆動モーターによって所定の方向へ移動されるスライダーと、
スライダーに連結され該スライダーの移動に伴って回動されると共にディスク状記録媒体のイジェクト時に被押圧部材を押圧してイジェクトレバーにディスク状記録媒体のイジェクト方向への回動力を付与する押圧部を有する駆動レバーとを備え、
ディスク状記録媒体のイジェクト時において、駆動レバーの押圧部によって押圧される被押圧部材の押圧される位置及び方向がイジェクトレバーと駆動レバーの各回動位置に応じて変化するようにした
ことを特徴とするディスクドライブ装置。
【請求項２】
ディスク状記録媒体のローディング時に駆動モーターを起動する起動スイッチを設け、
ディスク状記録媒体がディスク挿入口から所定の位置まで挿入されたときに起動スイッチの状態に基づいて駆動モーターを起動してディスク状記録媒体のローディング動作を開始し、
ディスク挿入口から挿入されたディスク状記録媒体に押圧されてイジェクトレバーがイジェクト時と反対方向へ回動し、
被押圧部材に起動スイッチの状態を変化させて駆動モーターを起動させるスイッチ押圧部を設けた
ことを特徴とする請求項１に記載のディスクドライブ装置。
【請求項３】
ディスク状記録媒体のイジェクト時にディスク状記録媒体をイジェクト方向へ押圧する回動可能なサポートレバーを設け、
駆動レバーにディスク状記録媒体のイジェクト方向へサポートレバーを回動させる作用部を設けた
ことを特徴とする請求項１に記載のディスクドライブ装置。
【請求項４】
イジェクトレバーとサポートレバーによって押圧されてディスク状記録媒体がイジェクト方向へ移動され、
ディスク状記録媒体がディスク挿入口から所定の位置まで排出されたときにイジェクトレバーの回動動作が停止されると共にサポートレバーが引き続き回動されてディスク状記録媒体を押圧してディスク挿入口から排出するようにした
ことを特徴とする請求項１に記載のディスクドライブ装置。
【請求項５】
ディスク状記録媒体に対して情報信号の記録若しくは再生又はこれらの双方を行うディスクドライブ装置を備えた電子機器であって、
ディスク挿入口から挿入されてローディングされたディスク状記録媒体が装着されるディスクテーブルと、
シャーシに回動自在に支持されディスク挿入口から挿入されたディスク状記録媒体を保持するディスク保持部を有すると共にディスク挿入口から挿入されるディスク状記録媒体をディスク保持部が待ち受ける待受位置とディスク保持部に保持されたディスク状記録媒体を引き込む引込位置との間で回動されるイジェクトレバーと、
イジェクトレバーに取り付けられた被押圧部材と、
駆動モーターによって所定の方向へ移動されるスライダーと、
スライダーに連結され該スライダーの移動に伴って回動されると共にディスク状記録媒体のイジェクト時に被押圧部材を押圧してイジェクトレバーにディスク状記録媒体のイジェクト方向への回動力を付与する押圧部を有する駆動レバーとを備え、
ディスク状記録媒体のイジェクト時において、駆動レバーの押圧部によって押圧される被押圧部材の押圧される位置及び方向がイジェクトレバーと駆動レバーの各回動位置に応じて変化するようにした
ことを特徴とする電子機器。
【発明の詳細な説明】
【技術分野】
【０００１】
本発明はディスクドライブ装置及び電子機器についての技術分野に関する。詳しくは、ディスク状記録媒体のイジェクト時において駆動レバーの押圧部によって押圧される被押圧部材の押圧される位置及び方向が変化するようにしてイジェクト動作の信頼性の向上を図る技術分野に関する。
【背景技術】
【０００２】
ディスク状記録媒体に対して情報信号の記録若しくは再生又はこれらの双方を行うディスクドライブ装置がある（例えば、特許文献１参照）。
【０００３】
このようなディスクドライブ装置においては、ディスク状記録媒体がディスク挿入口から挿入されると、ディスクローディング機構によってディスク状記録媒体がローディングされてディスクテーブルに装着されディスク状記録媒体に対する情報信号の記録又は再生が可能とされる。情報信号の記録又は再生が終了したディスク状記録媒体は、例えば、光ピックアップを支持するピックアップベース上等でスライドするように回動されるイジェクトレバーによって押圧されてディスク挿入口から排出される。
【０００４】
【特許文献１】特開２００４−３１０９２１号公報
【発明の開示】
【発明が解決しようとする課題】
【０００５】
ところで、ディスクドライブ装置においては、回動されるイジェクトレバーによってディスク状記録媒体がイジェクト方向へ押圧されてイジェクト動作が行われるが、イジェクトレバーが駆動モーターによって動作される駆動レバーに押圧されて回動されるように構成したものがある。
【０００６】
このような構成とされたディスクドライブ装置にあっては、駆動レバーの動作方向に応じた方向へイジェクトレバーが押圧されるため、イジェクトレバーの回動方向と駆動レバーによるイジェクトレバーに対する押圧方向とがイジェクトレバーの回動位置によって大きく異なってしまい、イジェクトレバーの回動動作の信頼性が損なわれたり、イジェクトレバーの回動動作に関する動作効率の低下を来たすおそれがある。
【０００７】
このような不具合を解消するために、駆動モーターのトルクの向上を図る方法が考えられるが、駆動モーターのトルクを上げることにより駆動モーターの大型化や高価な駆動モーターの必要性による製造コストの高騰を引き起こすことになる。
【０００８】
そこで、本発明ディスクドライブ装置及び電子機器は、上記した問題点を克服し、イジェクト動作の信頼性の向上を図ることを課題とする。
【課題を解決するための手段】
【０００９】
本発明ディスクドライブ装置及び電子機器は、上記した課題を解決するために、ディスク挿入口から挿入されてローディングされたディスク状記録媒体が装着されるディスクテーブルと、シャーシに回動自在に支持されディスク挿入口から挿入されたディスク状記録媒体を保持するディスク保持部を有すると共にディスク挿入口から挿入されるディスク状記録媒体をディスク保持部が待ち受ける待受位置とディスク保持部に保持されたディスク状記録媒体を引き込む引込位置との間で回動されるイジェクトレバーと、イジェクトレバーに取り付けられた被押圧部材と、駆動モーターによって所定の方向へ移動されるスライダーと、スライダーに連結され該スライダーの移動に伴って回動されると共にディスク状記録媒体のイジェクト時に被押圧部材を押圧してイジェクトレバーにディスク状記録媒体のイジェクト方向への回動力を付与する押圧部を有する駆動レバーとを設け、ディスク状記録媒体のイジェクト時において、駆動レバーの押圧部によって押圧される被押圧部材の押圧される位置及び方向がイジェクトレバーと駆動レバーの各回動位置に応じて変化するようにしたものである。
【００１０】
従って、本発明ディスクドライブ装置及び電子機器にあっては、ディスク状記録媒体のイジェクト時において、イジェクトレバーと駆動レバーの各回動位置に応じて駆動レバーの押圧部による被押圧部材に対する押圧位置及び押圧方向が変化する。
【発明の効果】
【００１１】
本発明ディスクドライブ装置は、ディスク挿入口から挿入されてローディングされたディスク状記録媒体が装着されるディスクテーブルと、シャーシに回動自在に支持されディスク挿入口から挿入されたディスク状記録媒体を保持するディスク保持部を有すると共にディスク挿入口から挿入されるディスク状記録媒体をディスク保持部が待ち受ける待受位置とディスク保持部に保持されたディスク状記録媒体を引き込む引込位置との間で回動されるイジェクトレバーと、イジェクトレバーに取り付けられた被押圧部材と、駆動モーターによって所定の方向へ移動されるスライダーと、スライダーに連結され該スライダーの移動に伴って回動されると共にディスク状記録媒体のイジェクト時に被押圧部材を押圧してイジェクトレバーにディスク状記録媒体のイジェクト方向への回動力を付与する押圧部を有する駆動レバーとを備え、ディスク状記録媒体のイジェクト時において、駆動レバーの押圧部によって押圧される被押圧部材の押圧される位置及び方向がイジェクトレバーと駆動レバーの各回動位置に応じて変化するようにしたことを特徴とする。
【００１２】
従って、イジェクトレバーの回動動作に関する動作効率の向上が図られ、駆動モーターのトルクを上げることなく、イジェクト動作の信頼性の向上を図ることができる。
【００１３】
請求項２に記載した発明にあっては、ディスク状記録媒体のローディング時に駆動モーターを起動する起動スイッチを設け、ディスク状記録媒体がディスク挿入口から所定の位置まで挿入されたときに起動スイッチの状態に基づいて駆動モーターを起動してディスク状記録媒体のローディング動作を開始し、ディスク挿入口から挿入されたディスク状記録媒体に押圧されてイジェクトレバーがイジェクト時と反対方向へ回動し、被押圧部材に起動スイッチの状態を変化させて駆動モーターを起動させるスイッチ押圧部を設けたので、駆動モーターを起動させるスイッチを操作する専用の部材が不要であり、部品点数の削減による機構の簡素化を図ることができる。
【００１４】
請求項３に記載した発明にあっては、ディスク状記録媒体のイジェクト時にディスク状記録媒体をイジェクト方向へ押圧する回動可能なサポートレバーを設け、駆動レバーにディスク状記録媒体のイジェクト方向へサポートレバーを回動させる作用部を設けたので、サポートレバーの回動動作が駆動レバーによって確実に行われディスク状記録媒体のイジェクトを確実に行うことができる。
【００１５】
請求項４に記載した発明にあっては、イジェクトレバーとサポートレバーによって押圧されてディスク状記録媒体がイジェクト方向へ移動され、ディスク状記録媒体がディスク挿入口から所定の位置まで排出されたときにイジェクトレバーの回動動作が停止されると共にサポートレバーが引き続き回動されてディスク状記録媒体を押圧してディスク挿入口から排出するようにしたので、ディスク状記録媒体をディスク挿入口から所定の量だけ確実に突出させることができる。
【００１６】
本発明電子機器は、ディスク状記録媒体に対して情報信号の記録若しくは再生又はこれらの双方を行うディスクドライブ装置を備えた電子機器であって、ディスク挿入口から挿入されてローディングされたディスク状記録媒体が装着されるディスクテーブルと、シャーシに回動自在に支持されディスク挿入口から挿入されたディスク状記録媒体を保持するディスク保持部を有すると共にディスク挿入口から挿入されるディスク状記録媒体をディスク保持部が待ち受ける待受位置とディスク保持部に保持されたディスク状記録媒体を引き込む引込位置との間で回動されるイジェクトレバーと、イジェクトレバーに取り付けられた被押圧部材と、駆動モーターによって所定の方向へ移動されるスライダーと、スライダーに連結され該スライダーの移動に伴って回動されると共にディスク状記録媒体のイジェクト時に被押圧部材を押圧してイジェクトレバーにディスク状記録媒体のイジェクト方向への回動力を付与する押圧部を有する駆動レバーとを備え、ディスク状記録媒体のイジェクト時において、駆動レバーの押圧部によって押圧される被押圧部材の押圧される位置及び方向がイジェクトレバーと駆動レバーの各回動位置に応じて変化するようにしたことを特徴とする。
【００１７】
従って、イジェクトレバーの回動動作に関する動作効率の向上が図られ、駆動モーターのトルクを上げることなく、イジェクト動作の信頼性の向上を図ることができる。
【発明を実施するための最良の形態】
【００１８】
以下に、本発明ディスクドライブ装置及び電子機器の最良の形態を添付図面に従って説明する。以下に示した最良の形態は、本発明電子機器をパーソナルコンピューターに適用し、本発明ディスクドライブ装置をこのパーソナルコンピューターに備えられたディスクドライブ装置に適用したものである。
【００１９】
尚、本発明電子機器及びディスクドライブ装置の適用範囲は、パーソナルコンピューター及びこれに備えられたディスクドライブ装置に限られることはなく、本発明電子機器は、ディスク状記録媒体を扱う各種の電子機器、例えば、ゲーム機器、ＰＤＡ（Personal Digital Assistant）等の情報端末装置、スチルカメラや電子カメラやビデオカメラ等の撮像装置、各種のディスク状記録媒体を扱う記録用の機器や音響機器等に広く適用することができ、本発明ディスクドライブ装置は、これらの各種の電子機器において扱われるディスク状記録媒体について情報信号の記録若しくは再生又はこれらの双方を行うディスクドライブ装置に広く適用することができる。
【００２０】
電子機器（パーソナルコンピューター）１は、例えば、装置本体２と該装置本体２に回動自在に支持されたディスプレイ装置３とを備え、装置本体２に所要の操作キーが配置されたキーボード４が設けられている（図１参照）。尚、電子機器１は、例えば、装置本体とキーボード装置が別体で設けられた所謂デスクトップ型の機器であってもよい。
【００２１】
装置本体２にはディスクドライブ装置５が内蔵されている。尚、以下のディスクドライブ装置５の説明においては、説明の便宜上、後述するディスク挿入口側を前方としディスク挿入口に対するディスク状記録媒体の挿入方向を後方とし、使用者がディスク挿入口にディスク状記録媒体１００を挿入する状態において、上下前後左右の向きを規定する。
【００２２】
ディスクドライブ装置５は扁平な略矩形状に形成され、外筐６内に所要の各部が配置されて成る（図２参照）。外筐６は一部を除き上方及び前方に開口された浅い箱状を為すロアーシェル７と該ロアーシェル７を上方から閉塞するアッパーシェル８とロアーシェル７の前端に取り付けられたフロントパネル９とから成る。
【００２３】
アッパーシェル８の中央部には挿入孔８ａが形成されている。
【００２４】
フロントパネル９にはディスク挿入口９ａが形成され、該ディスク挿入口９ａはディスク状記録媒体１００の形状に対応して横長の形状に形成されている。ディスク挿入口９ａは図示しないシャッターによって開閉される。
【００２５】
ロアーシェル７の右端部は他の部分より一段高く位置された支持面部１０として設けられ、該支持面部１０以外の部分が上方に開口された配置凹部１１として形成されている（図３乃至図５参照）。
【００２６】
ロアーシェル７の底面部には上下に貫通された開口部７ａが形成されている。開口部７ａの右側開口縁は支持面部１０の左側縁の稍左方に形成されている。
【００２７】
ロアーシェル７の配置凹部１１にはシャーシ１２が配置されている（図３参照）。シャーシ１２は、図６に示すように、左側に位置され前後に長く形成された左側部１３と該左側部１３の後半部から右方へ突出された右側部１４と該右側部１４の前側に設けられた左右に延びる第１のスライダー支持部１５と該第１のスライダー支持部１５の右端部から前方へ突出された第２のスライダー支持部１６とから成る。
【００２８】
シャーシ１２の左端寄りの位置には、前後に延びるスライダー支持孔１２ａ、１２ａが前後に離隔して形成されている。シャーシ１２には前側のスライダー支持孔１２ａの近傍に円弧状の第１のレバー支持孔１２ｂ、１２ｂが形成され、該第１のレバー支持孔１２ｂ、１２ｂは同心の円弧状に形成されている。シャーシ１２には左右に離隔して第２のレバー支持孔１２ｃ、１２ｃが形成され、該第２のレバー支持孔１２ｃ、１２ｃは左方へ凸の緩やかな円弧状に形成されている。シャーシ１２には左右に離隔して第３のレバー支持孔１２ｄ、１２ｄが形成され、該第３のレバー支持孔１２ｄ、１２ｄは右方へ凸の円弧状に形成されている。シャーシ１２には第２のレバー支持孔１２ｃ、１２ｃ間にバネ配置孔１２ｅが形成されている。
【００２９】
シャーシ１２の左側部１３には、上方へ打ち出されて形成された摺動突条１３ａ、１３ａ、１３ａが設けられている。摺動突条１３ａ、１３ａ、１３ａは円弧状に形成されている。
【００３０】
第１のスライダー支持部１５は右側部１４の前縁から下方へ突出された後面部１５ａと該後面部１５ａの下縁から前方へ突出された底面部１５ｂと該底面部１５ｂの前縁から上方へ突出されたレバー支持片部１５ｃ、１５ｃとを有し、該レバー支持片部１５ｃ、１５ｃは左右に離隔して設けられている。
【００３１】
第１のスライダー支持部１５には、レバー支持片部１５ｃ、１５ｃ間にバネ保持部１７が設けられている、バネ保持部１７は底面部１５ｂの前縁から上方へ突出された基部１７ａと該基部１７ａの左側縁から前方へ突出された中間部１７ｂと該中間部１７ｂの前縁から左方へ突出された保持部１７ｃとから成る。
【００３２】
第２のスライダー支持部１６は上下方向を向く底面部１６ａと該底面部１６ａの左側縁から上方へ突出されたレバー支持片部１６ｂとを有し、底面部１６ａの左側縁にはレバー支持片部１６ｂの後方において上方へ突出されたスライダー押さえ片１８、１８が前後に離隔して設けられている。
【００３３】
ロアーシェル７の配置凹部１１には、その前端部における右端寄りの位置に駆動モーター１９が配置されている。駆動モーター１９のモーター軸には図示しないウォームが固定されている。
【００３４】
駆動モーター１９の近傍の位置には、複数のギヤが互いに噛合されて成る図示しない減速ギヤ群が支持されている。減速ギヤ群はウォームに噛合されている。
【００３５】
ロアーシェル７の配置凹部１１における右端部には、スライダー２０が前後方向へ移動自在に支持されている（図３乃至図５参照）。
【００３６】
スライダー２０は前後方向に長く形成され、図７に示すように、前端部における左側面にラック部２０ａを有している。
【００３７】
スライダー２０にはラック部２０ａの後側の位置に、上方へ突出された押圧突部２０ｂが設けられている。
【００３８】
スライダー２０には押圧突部２０ｂの後側の位置に、上方に開口された軸摺動溝２１が形成されている。軸摺動溝２１は、前後に延びる前側直線部２１ａと、該前側直線部２１ａの後端に連続し後方へ行くに従って右方へ傾斜する前側斜行部２１ｂと、該前側斜行部２１ｂの後端に連続し前後に延びる中側直線部２１ｃと、該中側直線部２１ｃの後端に連続し後方へ行くに従って左方へ傾斜する後側斜行部２１ｄと、該後側斜行部２１ｄの後端に連続し前後に延びる後側直線部２１ｅとから成る。
【００３９】
スライダー２０の後端部には左方へ突出されたスイッチ押圧部２０ｃが設けられている。
【００４０】
スライダー２０には軸摺動溝２１の左側の位置に前方を向く押圧面部２０ｄが形成されている。スライダー２０の押圧面部２０ｄの直ぐ後側には左方及び上方に開口された作用溝２０ｅが形成されている。
【００４１】
スライダー２０の押圧突部２０ｂと軸摺動溝２１の前側斜行部２１ｂとは、後述する回動レバーの被押圧部を押圧する押圧部として機能する。
【００４２】
スライダー２０はラック部２０ａが減速ギヤ群と噛合されている。駆動モーター１９の駆動力がウォーム及び減速ギヤ群を介してスライダー２０に伝達されると、該スライダー２０が駆動モーター１９の回転方向に応じて前後方向へ移動される。
【００４３】
ロアーシェル７の支持面部１０には回動レバー２２が回動自在に支持されている（図３乃至図５参照）。回動レバー２２には、図８に示すように、回動支点部２２ａの前側に下方へ突出された被押圧片部２２ｂが設けられ、回動支点部２２ａの後側に下方へ突出された被押圧軸２２ｃが設けられている。
【００４４】
回動レバー２２の被押圧片部２２ｂと被押圧軸２２ｃは、ディスク状記録媒体１００のローディング時に、それぞれスライダー２０の押圧突部２０ｂと前側斜行部２１ｂによって押圧される被押圧部として機能する。
【００４５】
回動レバー２２の後端部とロアーシェル７の間には捩じりコイルバネ２３が支持されている。回動レバー２２は捩じりコイルバネ２３によって平面で見て時計回り方向へ付勢されている。
【００４６】
ロアーシェル７の支持面部１０にはロードレバー２４が回動自在に支持されている。ロードレバー２４は回動面部２４ａと該回動面部２４ａの前端部に回転自在に支持されたローラー２４ｂとから成る。ロードレバー２４の回動面部２４ａには下方に開口された図示しない摺動用溝が形成されている。
【００４７】
ロードレバー２４の摺動用溝には回動レバー２２の前端部が摺動自在に支持されている。従って、回動レバー２２が回動されると、該回動レバー２２の回動動作に伴ってロードレバー２４が回動される。
【００４８】
ロードレバー２４は捩じりコイルバネ２３の作用によって回動レバー２２を介して平面で見て時計回り方向へ付勢されている。
【００４９】
シャーシ１２の下面側には略左右に長く形成された駆動レバー２５が回動自在に支持されている（図３乃至図５参照）。駆動レバー２５は、図９に示すように、シャーシ１２に支持される被支持面部２６と、該被支持面部２６から左方へ突出された延設部２７と、被支持面部２６から右方へ突出された突設部２８とが板状の金属材料によって一体に形成されて成る。
【００５０】
被支持面部２６の左端部には所定の形状に形成された作用孔２９が形成されている。作用孔２９は縦長の形状に形成された主開口部２９ａと該主開口部２９ａの前端部から右方へ張り出すように小さく開口された前側突部２９ｂと主開口部２９ａの後端部から左方へ張り出すように大きく開口された後側開口部２９ｃとによって構成されている。
【００５１】
作用孔２９の開口縁には下方へ折り曲げられて形成された補強リブ３０が設けられている。
【００５２】
被支持面部２６の左端部における前縁は、後方へ凸の略円弧状に形成された押圧部２６ａとして設けられている。
【００５３】
延設部２７にはそれぞれ上方へ突出された被支持ピン２７ａ、２７ａが左右に離隔して設けられている。延設部２７の先端部はイジェクト時に後述するサポートレバーを押圧する作用部２７ｂとして設けられている。
【００５４】
突設部２８は、その右端部がスライダー２０の後端部に回動自在に連結されている。
【００５５】
駆動レバー２５は被支持面部２６における略中央部がシャーシ１２に対する回動支点とされ、被支持ピン２７ａ、２７ａがそれぞれ第２のレバー支持孔１２ｃ、１２ｃに挿入されてシャーシ１２に回動自在に支持される。駆動レバー２５は突設部２８の右端部がスライダー２０の後端部に回動自在に連結されているため、スライダー２０が前方へ移動されると平面で見て時計回り方向へ回動され、スライダー２０が後方へ移動されると平面で見て反時計回り方向へ回動される。
【００５６】
シャーシ１２の左側部１３の下面側にはセンターリングスライダー３１が前後方向へ移動自在に支持されている（図３乃至図５参照）。センターリングスライダー３１は前後方向へ長く形成され前半部に大きな開口３１ａが形成されている（図１０参照）。
【００５７】
センターリングスライダー３１には、その前端部から後方へ突出された作用突部３２が設けられ、該作用突部３２は開口３１ａ内に突出するように位置されている。作用突部３２の後端部はロック部３２ａとして設けられている。作用突部３２の後端寄りの部分の縁部は、左右に延びるように形成されたロック縁部３２ｂとして設けられている。
【００５８】
センターリングスライダー３１の開口３１ａの開口縁には、その前端寄りの位置に左斜め後方を向く傾斜作用部３３と右方へ突出され前後に延びる直線作用部３４とが設けられている。傾斜作用部３３は直線作用部３４より稍前側に位置されている。
【００５９】
センターリングスライダー３１の後端部は右方へ突出された被押圧片部３１ｂとして設けられている。
【００６０】
センターリングスライダー３１にはそれぞれ上方へ突出された被案内ピン３１ｃ、３１ｃが前後に離隔して設けられている。
【００６１】
センターリングスライダー３１と後述するサポートレバーとの間には引張コイルバネ３５が支持され（図３及び図５参照）、センターリングスライダー３１が引張コイルバネ３５によって前方へ付勢されている。
【００６２】
センターリングスライダー３１は被案内ピン３１ｃ、３１ｃがそれぞれスライダー支持孔１２ａ、１２ａに挿入されてシャーシ１２に前後方向へ移動自在に支持される。センターリングスライダー３１がシャーシ１２に支持された状態においては、被押圧片部３１ｂが左側の第２のレバー支持孔１２ｃの下方に位置される。
【００６３】
シャーシ１２の右側部１４の上面側にはイジェクトレバー３６が回動自在に支持されている（図３乃至図５参照）。
【００６４】
イジェクトレバー３６は略一方向に長く形成され、長手方向における一端部にディスク保持部３７を有している（図１１参照）。ディスク保持部３７には上方へ突出されたディスク保持ピン３７ａが設けられている。
【００６５】
イジェクトレバー３６にはそれぞれ下方へ突出された取付ピン３６ａと規制ピン３６ｂが長手方向に離隔して設けられている。
【００６６】
イジェクトレバー３６は長手方向における他端部寄りの位置が支点とされ、取付ピン３６ａと規制ピン３６ｂがそれぞれ第３のレバー支持孔１２ｄ、１２ｄに挿入されてシャーシ１２に回動自在に支持される。
【００６７】
イジェクトレバー３６がシャーシ１２に支持された状態において、イジェクトレバー３６の長手方向における他端部とシャーシ１２の後端部との間に付勢バネ３８が支持され（図３及び図５参照）、イジェクトレバー３６が平面で見て時計回り方向へ付勢される。
【００６８】
イジェクトレバー３６がシャーシ１２に支持された状態において、図３及び図５に示すように、取付ピン３６ａに被押圧部材３９が取り付けられ、該被押圧部材３９はシャーシ１２の下面側に位置される。被押圧部材３９は扁平な形状に形成され、図１２に示すように、外周面の一部を除いた部分が緩やかな凸状の曲面にされたスイッチ押圧部３９ａと該スイッチ押圧部３９ａに連続され緩やかな凸状又は凹状の曲面に形成された被押圧部３９ｂとして形成されている。
【００６９】
イジェクトレバー３６がシャーシ１２に支持された状態において、規制ピン３６ｂは駆動レバー２５の作用孔２９に挿入される（図５参照）。
【００７０】
イジェクトレバー３６は、ディスク挿入口９ａから挿入されるディスク状記録媒体１００をディスク保持部３７が待ち受ける待受位置と、ディスク保持部３７に保持されたディスク状記録媒体１００を引き込む引込位置との間で回動される。
【００７１】
シャーシ１２の左側部１３の上面側にはサポートレバー４０が回動自在に支持されている（図３乃至図５参照）。
【００７２】
サポートレバー４０は、図１１に示すように、被支持板部４１と該被支持板部４１から側方へ突出されたアーム部４２とから成り、該アーム部４２の先端部にディスク保持部４３が設けられている。ディスク保持部４３には上方へ突出されたディスク保持ピン４３ａが設けられている。
【００７３】
サポートレバー４０の被支持板部４１にはそれぞれ下方へ突出された被ガイドピン４１ａ、４１ａが設けられている。
【００７４】
サポートレバー４０は被支持板部４１のアーム部４２と反対側の端部が支点とされ、被ガイドピン４１ａ、４１ａがそれぞれ第１のレバー支持孔１２ｂ、１２ｂに挿入されてシャーシ１２に回動自在に支持される。
【００７５】
サポートレバー４０がシャーシ１２に支持された状態において、上記したように、サポートレバー４０の被支持板部４１とセンターリングスライダー３１の間に引張コイルバネ３５が支持され、サポートレバー４０が平面で見て時計回り方向へ付勢される（図３及び図５参照）。
【００７６】
サポートレバー４０は、ディスク挿入口９ａから挿入されるディスク状記録媒体１００をディスク保持部４３が待ち受ける待受位置と、ディスク保持部４３に保持されたディスク状記録媒体１００を引き込む引込位置との間で回動される。
【００７７】
シャーシ１２の左端部には前後に延びるセンターリングレバー４４が後端部を支点として回動自在に支持されている（図３乃至図５参照）。センターリングレバー４４はシャーシ１２の左側縁に沿うように位置されている。
【００７８】
センターリングレバー４４の前半部には、図１０に示すように、右方に開口されたディスク保持凹部４４ａが形成されている。センターリングレバー４４の前端寄りの位置には、その下端部から右方へ突出された被作用突部４４ｂが設けられている。被作用突部４４ｂはシャーシ１２に形成された切欠を介して該シャーシ１２の下面側に位置されている。
【００７９】
センターリングレバー４４とシャーシ１２の間にはコイルバネ４５が支持され、図３乃至図５に示すように、センターリングレバー４４は前端部が略左方へ移動する方向へ付勢されている。
【００８０】
ロアーシェル７の左側面における前端部には前後に延びる案内部材４６が取り付けられている（図３乃至図５参照）。案内部材４６には右方に開口されたディスク案内凹部４６ａが形成されている。
【００８１】
ロアーシェル７の配置凹部１１の右端部における前端部にはカバー４７が取り付けられ（図３乃至図５参照）、該カバー４７によって駆動モーター１９のモーター軸に固定された図示しないウォームと該ウォームに噛合された図示しない減速ギヤが上方から覆われている。
【００８２】
シャーシ１２の第２のスライダー支持部１６には、図３乃至図５に示すように、前後に延びる第１のカムスライダー４８がスライダー押さえ片１８、１８に押さえられた状態で前後方向へ移動自在に支持されている。第１のカムスライダー４８の後端部には、図１３に示すように、上方へ突出された連結軸４８ａが設けられている。
【００８３】
第１のカムスライダー４８には左方に開口されたカム部４９とカム連結部５０が前後に離隔して形成されている。
【００８４】
カム部４９は、前後に延びる第１の直線溝部４９ａと、該第１の直線溝部４９ａの後端から後斜め上方へ延びる第１の傾斜溝部４９ｂと、該第１の傾斜溝部４９ｂの後端から後斜め上方へ延びる第２の傾斜溝部４９ｃと、該第２の傾斜溝部４９ｃの後端から後斜め下方へ延びる第３の傾斜溝部４９ｄと、該第３の傾斜溝部４９ｄの後端から後方へ延びる第３の直線溝部４９ｅとから成り、該第３の直線溝部４９ｅが第１の直線溝部４９ａより上方に位置されている。第２の傾斜溝部４９ｃの傾斜角度は第１の傾斜溝部４９ｂの傾斜角度より大きくされている。
【００８５】
カム連結部５０は、前後に延びる第１の直線部５０ａと、該第１の直線部５０ａの後端から後斜め上方へ延びる第１の傾斜部５０ｂと、該第１の傾斜部５０ｂの後端から後方へ延びる第２の直線部５０ｃと、該第２の直線部５０ｃの後端から後斜め上方へ延びる第２の傾斜部５０ｄと、該第２の傾斜部５０ｄの後端から後斜め下方へ延びる第３の傾斜部５０ｅと、該第３の傾斜部５０ｅの後端から後方へ延びる第３の直線部５０ｆとから成り、第２の直線部５０ｃと第３の直線部５０ｆが同じ高さにおいて第１の直線部５０ａより上方に位置されている。
【００８６】
シャーシ１２の第１のスライダー支持部１５には左右に延びる第２のカムスライダー５０が左右方向へ移動自在に支持されている（図３乃至図５参照）。第２のカムスライダー５０の右端部には上方へ突出された連結軸５０ａが設けられている（図１３参照）。
【００８７】
第２のカムスライダー５０には、左右に離隔して形成され前方に開口されたカム部５２、５２と、該カム部５２、５２間に位置され前方に開口されたカム連結部５３とが形成されている。
【００８８】
カム部５２は、前後に延びる第１の直線溝部５２ａと、該第１の直線溝部５２ａの後端から後斜め上方へ延びる第１の傾斜溝部５２ｂと、該第１の傾斜溝部５２ｂの後端から後斜め上方へ延びる第２の傾斜溝部５２ｃと、該第２の傾斜溝部５２ｃの後端から後斜め下方へ延びる第３の傾斜溝部５２ｄと、該第３の傾斜溝部５２ｄの後端から後方へ延びる第３の直線溝部５２ｅとから成り、該第３の直線溝部５２ｅが第１の直線溝部５２ａより上方に位置されている。第２の傾斜溝部５２ｃの傾斜角度は第１の傾斜溝部５２ｂの傾斜角度より大きくされている。
【００８９】
カム連結部５３は、前後に延びる第１の直線部５３ａと、該第１の直線部５３ａの後端から後斜め上方へ延びる第１の傾斜部５３ｂと、該第１の傾斜部５３ｂの後端から後方へ延びる第２の直線部５３ｃと、該第２の直線部５３ｃの後端から後斜め上方へ延びる第２の傾斜部５３ｄと、該第２の傾斜部５３ｄの後端から後斜め下方へ延びる第３の傾斜部５３ｅと、該第３の傾斜部５３ｅの後端から後方へ延びる第３の直線部５３ｆとから成り、第２の直線部５３ｃと第３の直線部５３ｆが同じ高さにおいて第１の直線部５３ａより上方に位置されている。
【００９０】
ロアーシェル７における第１のカムスライダー４８と第２のカムスライダー５１の間に位置する部分には連結レバー５４が回動自在に支持されている（図３乃至図５参照）。連結レバー５４は、図１３に示すように、長孔状の２つの連結孔５４ａ、５４ａを有し、該連結孔５４ａ、５４ａにそれぞれ第１のカムスライダー４８の連結軸４８ａと第２のカムスライダー５１の連結軸５１ａが摺動自在に係合されている。従って、第１のカムスライダー４８が前後方向へ移動されると、連結レバー５４が回動され、該連結レバー５４の回動に伴って第２のカムスライダー５１が第１のカムスライダー４８と同期して右方又は左方へ移動される。
【００９１】
連結レバー５４には下方へ突出された被作用軸５４ｂが設けられている。
【００９２】
シャーシ１２の第１のスライダー支持部１５のレバー支持片部１５ｃ、１５ｃと第２のスライダー支持部１６のレバー支持片部１６ｂには、それぞれ昇降レバー５５、５５、５５が回動自在に支持されている。
【００９３】
昇降レバー５５は水平方向を向く板状に形成され、回動支点部５５ａとカム連結部５５ｂとユニット連結部５５ｃを有し、回動支点部５５ａとユニット連結部５５ｃがカム連結部５５ｂを挟んで反対側に位置されている。カム連結部５５ｂは軸状に形成され、ユニット連結部５５ｃは長孔状に形成されている。
【００９４】
昇降レバー５５においては、回動支点部５５ａからカム連結部５５ｂまでの距離より回動支点部５５ａからユニット連結部５５ｃまでの距離が大きくされ、例えば、回動支点部５５ａからユニット連結部５５ｃまでの距離は回動支点部５５ａからカム連結部５５ｂまでの距離の約２倍にされている。
【００９５】
昇降レバー５５、５５、５５はそれぞれ回動支点部５５ａ、５５ａ、５５ａが第１のスライダー支持部１５のレバー支持片部１５ｃ、１５ｃ又は第２のスライダー支持部１６のレバー支持片部１６ｂに回動自在に支持され、カム連結部５５ｂ、５５ｂ、５５ｂがそれぞれ第１のカムスライダー４８のカム部４９又は第２のカムスライダー５１のカム部５２、５２に摺動自在に連結されている。従って、第１のカムスライダー４８と第２のカムスライダー５１が移動されると、カム連結部５５ｂ、５５ｂ、５５ｂのカム部４９、５２、５２に対する位置が変化され、昇降レバー５５、５５、５５がレバー支持片部１５ｃ、１５ｃ、１６ｂに対して回動される。
【００９６】
ロアーシェル７の配置凹部１１には、図３乃至図５に示すように、シャーシ１２の前側にピックアップユニット５６が後端部が略上下に移動される方向へ回動自在（昇降自在）に支持されている。ピックアップユニット５６はピックアップベース５７と該ピックアップベース５７にディスク状記録媒体１００の半径方向へ移動自在に支持された光ピックアップ５８とを有している。
【００９７】
ピックアップベース５７の外周面には、図３乃至図５に示すように、それぞれ右方と後方へ突出された連結ピン５７ａ、５７ａが設けられている。連結ピン５７ａ、５７ａはそれぞれ第１のカムスライダー４８と第２のカムスライダー５１のカム連結部５０、５３に摺動自在に連結されている。従って、第１のカムスライダー４８と第２のカムスライダー５１が移動されると、連結ピン５７ａ、５７ａのカム連結部５０、５３に対する位置が変化され、後端部が略上下に移動される方向へ回動（昇降）される。
【００９８】
ピックアップベース５７には光ピックアップ５８及び後述するスピンドルモーター等を配置するための上下に貫通された配置孔５７ｂが形成されている（図３乃至図５参照）。
【００９９】
昇降レバー５５、５５、５５にはモーターユニット５９が支持されている（図３乃至図５参照）。モーターユニット５９は、図１４に示すように、モーター取付ベース６０と該モーター取付ベース６０上に配置されたスピンドルモーター６１と該スピンドルモーター６１によって回転されるディスクテーブル６２とを有している。
【０１００】
ディスクテーブル６２は中央部にセンターリング突部６２ａを有し、該センターリング突部６２ａの外周側にディスク状記録媒体１００が載置されるテーブル部６２ｂが設けられている。
【０１０１】
モーター取付ベース６０はベース板６３と該ベース板６３上に支持された取付板６４とから成る。
【０１０２】
ベース板６３は上下方向を向く支持板部６５と該支持板部６５の前方及び右方側の側縁から上方へ突出された側板部６６とから成る。支持板部６５には治具挿通孔６５ａ、６５ａ、６５ａが形成されている（図１５参照）。支持板部６５には略中央に円弧状に形成された切欠６５ｂが形成されている（図１４参照）。側板部６６には外方へ突出された軸状のレバー連結部６６ａ、６６ａ、６６ａが設けられている。
【０１０３】
側板部６６の外面には姿勢保持用板バネ６７が取り付けられている。姿勢保持用板バネ６７は一部が側板部６６から後方に離隔して位置され、この離隔して位置された部分が被保持部６７ａとして形成されている。
【０１０４】
取付板６４は、図１４乃至図１６に示すように、略円板状に形成されたモーター取付部６８と該モーター取付部６８の外側に位置する被支持部６９とが一体に形成されて成る。取付板６４はモーター取付部６８がベース板６３の切欠６５ｂに対応して位置され被支持部６９が支持板部６５上に位置され、該支持板部６５との間に圧縮コイルバネであるバネ部材７０、７０、７０が介在された状態でベース板６３に支持されている（図１４及び図１６参照）。取付板６４はバネ部材７０、７０、７０が介在された状態でベース板６３に支持されているため、該ベース板６３に対して上下方向へ変位可能とされ、上方へ付勢された状態でベース板６３に支持される。
【０１０５】
取付板６４の被支持部６９には調整部６９ａ、６９ａ、６９ａが形成され、該調整部６９ａ、６９ａ、６９ａは螺溝を有し上下方向へ貫通された螺孔である（図１４及び図１６参照）。
【０１０６】
取付板６４はベース板６３上に支持された状態において、調整部６９ａ、６９ａ、６９ａがそれぞれベース板６３の治具挿通孔６５ａ、６５ａ、６５ａの真上に位置される（図１７参照）。
【０１０７】
取付板６４のモーター取付部６８上にはスピンドルモーター６１が取り付けられる（図１４及び図１６参照）。
【０１０８】
モーターユニット５９はベース板６３のレバー連結部６６ａ、６６ａ、６６ａがそれぞれ昇降レバー５５、５５、５５のユニット連結部５５ｃ、５５ｃ、５５ｃに摺動自在に係合される。従って、第１のカムスライダー４８と第２のカムスライダー５１が移動されカム連結部５５ｂ、５５ｂ、５５ｂのカム部４９、５２、５２に対する位置が変化されて昇降レバー５５、５５、５５が回動されると、モーターユニット５９が上下方向へ移動される。
【０１０９】
モーターユニット５９が昇降レバー５５、５５、５５に支持された状態においては、スピンドルモーター６１及びディスクテーブル６２がピックアップユニット５６のピックアップベース５７における配置孔５７ｂの後端部に対応して位置される。このときモーター取付ベース６０の下方にはロアーシェル７の開口部７ａが位置される。
【０１１０】
また、モーターユニット５９が昇降レバー５５、５５、５５に支持された状態においては、図１８に示すように、シャーシ１２の第１のスライダー支持部１５に設けられたバネ保持部１６の保持部１６ｃが、モーター取付ベース６０に取り付けられた姿勢保持用板バネ６７の被保持部６７ａとモーター取付ベース６０の側板部６６との間に両者に挟持された状態で挿入され、モーターユニット５９が上下方向へ移動されるときには、姿勢保持用板バネ６７が保持部１６ｃ及び側板部６６と摺動される。
【０１１１】
従って、スピンドルモーター６１及びディスクテーブル６２の倒れ（傾き）を防止することができる。
【０１１２】
ピックアップユニット５６及びモーターユニット５９はともに上下方向へ移動され、移動途中において一体となって上下される。従って、一体となって上下されるときにはピックアップベース５７の下面にモーター取付ベース６０の取付板６４の上面が接した状態とされる。また、ディスク状記録媒体１００がディスクテーブル６２に装着された状態においても、ピックアップベース５７の下面にモーター取付ベース６０の取付板６４の上面が接する。
【０１１３】
このときモーター取付ベース６０はバネ部材７０、７０、７０によって取付板６４がベース板６３に対して変位可能な構成とされているため、取付板６４の上面がピックアップベース５７の下面に面接触された状態で押し付けられる。従って、取付板６４のピックアップベース５７に対する接触状態の安定化を図ることができる。
【０１１４】
上記のようにピックアップユニット５６とモーターユニット５９は一体となるため、ディスクドライブ装置５においては、ピックアップベース５７に対してディスクテーブル６２のテーブル部６２ｂを水平な状態に保持する必要があり、この水平状態の保持は、以下のようにして、調整をすることにより行うことができる。
【０１１５】
調整はピックアップユニット５６がロアーシェル７に支持されモーターユニット５９が昇降レバー５５、５５、５５に支持された状態において、第１のカムスライダー４８及び第２のカムスライダー５１を動作させてモーターユニット５９の取付板６４をピックアップユニット５６のピックアップベース５７に下方から接触させた状態で行う。
【０１１６】
調整は、図１７に示すように、調整ネジ７１、７１、７１を取付板６４の調整部６９ａ、６９ａ、６９ａに対して回転させることにより行い、調整ネジ７１、７１、７１を回転させると、該調整ネジ７１、７１、７１の上端面がピックアップベース５７の下面に接しているため、取付板６４のベース板６３に対する位置が変位される。このときゲージ等の測定器具を用い、ディスクテーブル６２のテーブル部６２ｂがピックアップベース５７に対して水平となるように調整部６９ａ、６９ａ、６９ａにそれぞれ螺合した調整ネジ７１、７１、７１を回転させる。
【０１１７】
調整に際しては、ドライバー等の治具２００によって調整ネジ７１、７１、７１を回転させるが、ディスクドライブ装置５にあっては、ピックアップユニット５６がロアーシェル７に支持されモーターユニット５９が昇降レバー５５、５５、５５に支持された状態において、ドライバー等の治具２００を下方からロアーシェル７の開口部７ａ及びベース板６３の治具挿通孔６５ａ、６５ａ、６５ａを挿通させて調整ネジ７１、７１、７１を回転させることができる。
【０１１８】
このようにディスクドライブ装置５にあっては、ピックアップユニット５６がロアーシェル７に支持されモーターユニット５９が昇降レバー５５、５５、５５に支持された状態でピックアップベース５７に対するディスクテーブル６２の位置調整を行うことができるため、リアルタイムで調整することが可能であり、調整作業の容易化を図ることができる。
【０１１９】
シャーシ１２の下側には図示しない回路基板が配置され、図５に示すように、回路基板上に起動スイッチ７２と検出スイッチ７３、７４が搭載されている。起動スイッチ７２はロアーシェル７の配置凹部１１の左右方向における略中央部に位置され、検出スイッチ７３、７４は配置凹部１１の右端寄りの位置において前後に離隔して位置されている。起動スイッチ７２及び検出スイッチ７３、７４は何れもピックアップユニット５６の後側に配置されている。
【０１２０】
以下に、ディスク状記録媒体１００のローディング時及びイジェクト時におけるディスクドライブ装置５の動作について説明する（図１９乃至図４０参照）。尚、以下の説明において各部の回動方向については、各図に示すＲ１―Ｒ２方向により説明を行う。Ｒ１方向は平面で見て時計回り方向であり、Ｒ２方向は平面で見て反時計回り方向である。
【０１２１】
先ず、ディスク状記録媒体１００がフロントパネル９のディスク挿入口９ａから挿入される前の各部の状態である初期状態について説明する（図１９乃至図２１参照）。
【０１２２】
スライダー２０は後方の移動端に位置され、軸摺動溝２１の前側直線部２１ａに回動レバー２２の被押圧軸２２ｃが係合されている。このとき回動レバー２２はＲ２方向における回動端寄りに位置され、回動レバー２２に連結されているロードレバー２４もＲ２方向における回動端寄りに位置されている。
【０１２３】
スライダー２０のスイッチ押圧部２０ｃは後側に位置されている検出スイッチ７４を操作した状態とされている。
【０１２４】
スライダー２０が後方の移動端に位置されているため、駆動レバー２５はＲ２方向における回動端に位置されている。
【０１２５】
センターリングスライダー３１はサポートレバー４０との間に支持された引張コイルバネ３５の付勢力によって前方の移動端に位置されている。
【０１２６】
イジェクトレバー３６はシャーシ１２との間に支持された付勢バネ３８の付勢力によってＲ１方向における回動端である待受位置にあり、規制ピン３６ｂは駆動レバー２５の作用孔２９における前端部に位置されている。このときイジェクトレバー３６は一部がディスクテーブル６２のテーブル部６２ｂの上方及びピックアップベース５７の上方に位置され、ディスク保持部３７がディスクテーブル６２のセンターリング突部６２ａの前方かつ右方に位置されている。
【０１２７】
イジェクトレバー３６に取り付けられた被押圧部材３９はスイッチ押圧部３９ａが起動スイッチ７２を操作した状態とされている。このとき駆動モーター１９は起動されていない。
【０１２８】
サポートレバー４０はセンターリングスライダー３１との間に支持された引張コイルバネ３５の付勢力によってＲ１方向における回動端である待受位置にあり、一方の被ガイドピン４１ａがセンターリングスライダー３１のロック縁部３２ｂに係合されてＲ１方向における回動端に保持されている。このときサポートレバー４０のアーム部４２がピックアップベース５７の上方に位置され、ディスク保持部３７がディスクテーブル６２のセンターリング突部６２ａの前方かつ左方に位置されている。サポートレバー４０のディスク保持部４３はイジェクトレバー３６のディスク保持部３７より稍前方に位置されている。
【０１２９】
センターリングレバー４４は被作用突部４４ｂにセンターリングスライダー３１の直線作用部３４が左方から係合されており、シャーシ１２との間に支持されたコイルバネ４５の付勢力に抗してＲ２方向における回動端に位置されている。
【０１３０】
第１のカムスライダー４８は後方の移動端に位置されている。従って、図２０に示すように、ピックアップユニット５６の連結ピン５７ａはカム連結部５０の第１の直線部５０ａに係合され、昇降レバー５５のカム連結部５５ｂはカム部４９の第１の直線溝部４９ａに係合されている。
【０１３１】
第２のカムスライダー５１は左方の移動端に位置されている。従って、ピックアップユニット５６の連結ピン５７ａはカム連結部５３の第１の直線部５３ａに係合され、昇降レバー５５のカム連結部５５ｂ、５５ｂはそれぞれカム部５２、５２の第１の直線溝部５２ａ、５２ａに係合されている。
【０１３２】
尚、ピックアップユニット５６及びモーターユニット５９の昇降動作に関しては、第１のカムスライダー４８と第２のカムスライダー５１のカム部４９、５２、５２とカム連結部５０、５３において対応した位置に昇降レバー５５のカム連結部５５ｂ、５５ｂ、５５ｂとピックアップベース５７の連結ピン５７ａ、５７ａ、５７ａがそれぞれ連結されるため、第１のカムスライダー４８における連結状態のみを各図に示すこととする（図２０、図２１、図２８乃至図３４参照）。
【０１３３】
昇降レバー５５は、図２１に示すように、カム連結部５５ｂ、５５ｂ、５５ｂがそれぞれ第１のカムスライダー４８におけるカム部４９の第１の直線溝部４９ａと第２のカムスライダー５１におけるカム部５２、５２の第１の直線溝部５２ａ、５２ａに連結され、ユニット連結部５５ｃ、５５ｃ、５５ｃにモーターユニット５９のベース板６３に設けられたレバー連結部６６ａ、６６ａ、６６ａがそれぞれ連結されている。
【０１３４】
ピックアップユニット５６は後下がりの状態で傾斜され、モーターユニット５９は下方の移動端に位置されている。このときモーターユニット５９のモーター取付ベース６０はピックアップユニット５６のピックアップベース５７の下方に離隔して位置されている。
【０１３５】
以上に記載した初期状態において、ディスク状記録媒体１００がフロントパネル９のディスク挿入口９ａから手動により挿入されると、図２２に示すように、ディスク状記録媒体１００は外周面がサポートレバー４０におけるディスク保持部４３のディスク保持ピン４３ａに接し、ディスク保持部４３に保持される。サポートレバー４０はディスク状記録媒体１００によってディスク保持ピン４３ａが押圧されてＲ２方向へ回動されていく。
【０１３６】
尚、ディスク状記録媒体１００のディスク挿入口９ａに対する挿入時及び排出時には、何れもディスク状記録媒体１００は外周部が案内部材４６のディスク案内凹部４６ａに摺接されて案内され前後方向へ移動されていく。
【０１３７】
ディスク挿入口９ａから挿入されていくディスク状記録媒体１００は、ロードレバー２４のローラー２４ｂに接し、ロードレバー２４がディスク状記録媒体１００の挿入に伴って捩じりコイルバネ２３の付勢力に抗してＲ２方向へ回動される。このときロードレバー２４の回動に伴って回動レバー２２もＲ２方向へ回動される。
【０１３８】
ディスク状記録媒体１００は、図２３に示すように、外周面がイジェクトレバー３６におけるディスク保持部３７のディスク保持ピン３７ａに接し、サポートレバー４０のディスク保持部４３とイジェクトレバー３６のディスク保持部３７の両者に保持される。イジェクトレバー３６はディスク状記録媒体１００によってディスク保持ピン３７ａが押圧されてＲ２方向へ回動されていく。
【０１３９】
ディスク挿入口９ａからディスク状記録媒体１００が挿入されたときには、上記したように、ディスク状記録媒体１００がディスクテーブル６２のセンターリング突部６２ａの前方に位置されているディスク保持部３７、４３に保持される。
【０１４０】
従って、ディスク状記録媒体１００はセンターリング突部６２ａの前方において左右に位置するディスク保持部３７、４３によって保持されるため、ディスク状記録媒体１００が水平状態に対して傾斜した状態でディスク挿入口９ａから挿入されてしまった場合においても、ディスク状記録媒体１００がディスクテーブル６２やピックアップベース５７に接触することがなく、ディスク状記録媒体１００の傷付きを防止することができる。
【０１４１】
尚、ディスク挿入口９ａから誤って径の小さなディスク状記録媒体、例えば、直径が約８ｃｍのディスク状記録媒体が挿入されたときにおいても、２つのディスク保持部３７、４３がセンターリング突部６２ａの前側に左右に離隔して位置されているため、ディスク状記録媒体１００のディスクテーブル６２やピックアップベース５７との接触の可能性を小さくすることができる。
【０１４２】
また、ディスク状記録媒体１００の傷付きを防止するためにディスクテーブル６２やピックアップベース５７の上方にイジェクトレバー３６を大きく離隔して位置させる必要がないため、ディスクドライブ装置５の薄型化を図ることができる。
【０１４３】
尚、ディスクドライブ装置５においては、ディスク挿入口９ａから挿入されたディスク状記録媒体１００が、先に、サポートレバー４０のディスク保持部４３に保持され、次いで、イジェクトレバー３６のディスク保持部３７に保持されるようにしているが、逆に、先に、イジェクトレバー３６のディスク保持部３７に保持され、次いで、サポートレバー４０のディスク保持部４３に保持されるように両者の位置を変更してもよく、また、サポートレバー４０のディスク保持部４３とイジェクトレバー３６のディスク保持部３７に同時に保持されるように両者の位置を設定してもよい。
【０１４４】
さらにディスク状記録媒体１００が内部へ挿入されていき後方へ移動されていくと、図２２に示すように、ディスク状記録媒体１００の中心がロードレバー２４のローラー２４ｂより後方へ移動され、捩じりコイルバネ２３の付勢力によってロードレバー２４がＲ１方向へ回動され、ローラー２４ｂによってディスク状記録媒体１００が後方へ押圧されていく。このときイジェクトレバー３６とサポートレバー４０はディスク保持ピン３７ａ、４３ａがディスク状記録媒体１００に押圧されることによりＲ２方向へ回動されていく。
【０１４５】
サポートレバー４０が回動されるときにはシャーシ１２上を摺動されるが、このとき上方へ打出状に設けられた摺動突条１３ａ、１３ａ、１３ａ上を摺動される。従って、シャーシ１２のスライダー支持孔１２ａ、１２ａに支持されたセンターリングスライダー３１の被案内ピン３１ｃ、３１ｃや第２のレバー支持孔１２ｃ、１２ｃに支持された駆動レバー２５の被支持ピン２７ａ、２７ａがサポートレバー４０と接触することがなく、サポートレバー４０の動作の円滑化及び動作の信頼性の向上を図ることができる。
【０１４６】
イジェクトレバー３６がＲ２方向へ回動されるときには規制ピン３６ｂが駆動レバー２５の作用孔２９内を移動される。
【０１４７】
イジェクトレバー３６がＲ２方向へ回動されディスク状記録媒体１００が所定の位置まで回動されると、図２３に示すように、被押圧部材３９のスイッチ押圧部３９ａによる起動スイッチ７２に対する操作が解除され、駆動モーター１９が一方（正転方向）へ回転される。
【０１４８】
駆動モーター１９が起動された後は、該駆動モーター１９の駆動力によるディスク状記録媒体１００のローディングが行われるため、使用者の手動によるディスク状記録媒体１００の挿入作業は不要となる。
【０１４９】
駆動モーター１９が回転されると、その駆動力がスライダー２０に伝達され、該スライダー２０が前方へ移動されていく。駆動モーター１９の回転によりスライダー２０が前方へ移動されると、該スライダー２０のスイッチ押圧部２０ｃによる検出スイッチ７４に対する操作が解除される。
【０１５０】
スライダー２０が前方へ移動されると、押圧突部２０ｂによって回動レバー２２の被押圧片部２２ｂが押圧され回動レバー２２及びロードレバー２４がそれぞれＲ１方向へ回動されていく（図２４参照）。従って、ディスク状記録媒体１００はロードレバー２４のローラー２４ｂによって後方へ押圧され、駆動モーター１９の駆動力によってディスク状記録媒体１００が後方へ移動されていく。
【０１５１】
スライダー２０の押圧突部２０ｂによる回動レバー２２の被押圧片部２２ｂに対する押圧が開始されるときには、図２４に示すように、回動レバー２２がスライダー２０の移動方向に対して小さな角度αで傾斜されている。従って、駆動モーター１９の起動時における押圧突部２０ｂによる被押圧片部２２ｂに対する押圧力は小さくて済み、駆動モーター１９の起動トルクを低減することができる。
【０１５２】
スライダー２０の前方への移動により、駆動レバー２５はＲ１方向へ回動されていく。
【０１５３】
引き続きスライダー２０が前方へ移動されると、図２５に示すように、押圧突部２０ｂが被押圧片部２２ｂから前方へ離隔され、回動レバー２２の被押圧軸２２ｃがスライダー２０の軸摺動溝２１において前側直線部２１ａから前側斜行部２１ｂに摺接しながら相対的に移動されていく。従って、軸摺動溝２１の前側斜行部２１ｂは被押圧部として機能する被押圧軸２２ｃを押圧する押圧部として機能する。
【０１５４】
被押圧軸２２ｃが前側斜行部２１ｂに相対的に移動されていくと、回動レバー２０は引き続きＲ１方向へ回動され、ロードレバー２４もＲ１方向へ回動されてディスク状記録媒体１００が後方へさらに移動されていく。このとき駆動モーター１９は起動後において安定したトルクにより回転されているため、起動時より大きな押圧力が被押圧軸２２ｃに付与される。
【０１５５】
上記のように、ディスクドライブ装置５にあっては、スライダー２０の押圧部（押圧突部２０ｂ、前側斜行部２１ｂ）が順次引き継がれて回動レバー２２の被押圧部（被押圧片部２２ｂ、被押圧軸２２ｃ）を押圧するため、全ての押圧位置を回動レバー２２の回動支点部２２ａに近い位置に設定することができ、回動レバー２２の傾き（あおり）を防止してローディング時における動作の信頼性の向上を図ることができる。
【０１５６】
また、順次引き継がれた押圧部の被押圧部に対する押圧力が、駆動モーター１９の起動時には小さく、駆動モーター１９の駆動が安定した時点で大きくなるため、駆動モーター１９の起動時におけるスライダー２０、回動レバー２２及びロードレバー２４の動作の安定化を図ることができると共に動作効率の向上を図ることができる。
【０１５７】
さらに、回動レバー２２の被押圧部として機能する被押圧片部２２ｂと被押圧軸２２ｃをスライダー２０の移動方向において回動支点部２２ａを挟んで反対側の領域にそれぞれ位置させているため、被押圧片部２２ｂと被押圧軸２２ｃの回動支点部２２ａからの各距離を小さくすることができ、回動レバー２２の傾きを低減することができる。
【０１５８】
さらにまた、回動レバー２２の被押圧片部２２ｂと被押圧軸２２ｃが回動支点部２２ａを挟んで略１８０°反対側にそれぞれ位置されているため、被押圧片部２２ｂと被押圧軸２２ｃの回動支点部２２ａからの各距離を小さくすることができ、回動レバー２２の傾きを一層低減することができる。
【０１５９】
尚、回動レバー２２において、回動支点部２２ａからはじめに押圧される被押圧軸２２ｃまでの距離を、回動支点部２２ａから次に押圧される被押圧片部２２ｂまでの距離より大きくすることにより、駆動モーター１９の起動時に回動レバー２２を押圧する押圧力を小さくすることができ、スライダー２０、回動レバー２２及びロードレバー２４の動作の安定化を図ることができると共に動作効率の向上を図ることができる。
【０１６０】
スライダー２０の前方への移動時には、例えば、図２３に示すように、ディスク状記録媒体１００の一部がディスク挿入口９ａから前方へ突出されている場合がある。従って、ディスク状記録媒体１００が挿入されたときに駆動モーター１９の起動が開始された場合において、ディスク状記録媒体１００がディスク挿入口９ａから引き抜かれる可能性がある。
【０１６１】
ローディング動作においては、後述するように、駆動レバー２５のＲ１方向への回動に伴い第１のカムスライダー４８及び第２のカムスライダー５１が移動されてピックアップユニット５６とモーターユニット５９が上昇されるが、駆動モーター１９の駆動時にディスク状記録媒体１００がディスク挿入口９ａから引き抜かれたときにイジェクトレバー３６が付勢バネ３８の付勢力によってＲ１方向へ回動され待受位置に移動されてしまうと、ピックアップベース５７やディスクテーブル６２によってイジェクトレバー３６が持ち上げられ該イジェクトレバー３６が変形するおそれがある。
【０１６２】
そこで、ディスクドライブ装置５にあっては、このようなイジェクトレバー３６の変形と言う不具合が生じないように、駆動レバー２５の動作が規制されてＲ１方向へ回動されないように構成されている。
【０１６３】
駆動モーター１９の起動時にはイジェクトレバー３６がＲ２方向における回動端に近い位置まで回動されており、イジェクトレバー３６の全体がピックアップユニット５６より後方に移動されている（図２３参照）。このとき駆動レバー２５はスライダー２０の前方への移動により初期状態からＲ１方向へ回動されている。
【０１６４】
この状態でディスク状記録媒体１００がディスク挿入口９ａから引き抜かれると、イジェクトレバー３６は付勢バネ３８の付勢力によってＲ１方向へ回動され、規制ピン３６ｂが駆動レバー２５の作用孔２９における前側突部２９ｂの開口縁に係合される。このとき駆動モーター１９は駆動中であるが、規制ピン３６ｂによって駆動レバー２５のＲ１方向への回動動作が規制される（図２６参照）。
【０１６５】
従って、駆動モーター１９の駆動時にディスク状記録媒体１００がディスク挿入口９ａから引き抜かれた場合においても、これ以上の駆動レバー２５のＲ１方向への回動動作が行われず、ピックアップユニット５６とモーターユニット５９が上昇されることがないため、イジェクトレバー３６の変形を防止することができる。
【０１６６】
尚、ディスクドライブ装置５においては、駆動モーター１９の駆動時にディスク状記録媒体１００がディスク挿入口９ａから手前に引き抜かれたときに、駆動レバー２５のＲ１方向への回動動作が一定時間停止されると、駆動モーター１９が逆方向へ回転してスライダー２０が後方へ移動され、各部が初期状態に戻るようにプログラムが設定されている。
【０１６７】
また、駆動モーター１９の駆動時にディスク状記録媒体１００が引き抜かれたときには、サポートレバー４０は引張コイルバネ３５の付勢力によってＲ１方向へ回動され、ピックアップベース５７の上方の位置である待受位置まで移動されるが、サポートレバー４０のこの位置はディスクテーブル６２よりピックアップユニット５６の回動支点に近い位置であるため、サポートレバー４０が待受位置に移動されたときにおいてもピックアップベース５７におけるサポートレバー４０の真下に位置するの部分の上昇量は小さいため、ピックアップベース５７がサポートレバー４０と接触することはないようにされている。
【０１６８】
上記のように、イジェクトレバー３６の規制ピン３６ｂが駆動レバー２５の作用孔２９における前側突部２９ｂの開口縁に係合されるが、作用孔２９の開口縁には補強リブ２９ｄが設けられているため、駆動レバー２５の強度が高く、規制ピン３６ｂの前側突部２９ｂの開口縁に対する係合による駆動レバー２５の変形を防止することができる。
【０１６９】
図２３の状態からさらに駆動モーター１９によってスライダー２０が前方へ移動されると、ディスク状記録媒体１００はロードレバー２４のローラー２４ｂに押圧されてさらに後方へ移動される（図２７参照）。ディスク状記録媒体１００は案内部材４６の後方側へ移動され、センターリングレバー４４のディスク保持凹部４４ａに摺接されて案内され後方へ移動されていく。
【０１７０】
回動レバー２２は被押圧軸２２ｃがスライダー２０の軸摺動溝２１において前側斜行部２１ｂから中側直線部２１ｃに相対的に移動されていく。従って、図２７に示すように、回動レバー２２及びロードレバー２４の回動は停止されディスク状記録媒体１００は中心孔１００ａがディスクテーブル６２のセンターリング突部６２ａの真上に位置するセンターリング位置で停止される。このときディスク状記録媒体１００はロードレバー２４のローラー２４ｂ、イジェクトレバー３６のディスク保持ピン３７ａ、サポートレバー４０のディスク保持ピン４３ａ及びセンターリングレバー４４のディスク保持凹部４４ａによって外周側から保持されている。
【０１７１】
センターリング位置においてはロードレバー２４の回動が停止されるため、イジェクトレバー３６及びサポートレバー４０の回動も停止される。
【０１７２】
駆動モーター１９は引き続き正転方向に回転され、スライダー２０が前方へ移動されていく。スライダー２０の前方への移動により回動レバー２２の被押圧軸２２ｃは軸摺動溝２１の中側直線部２１ｃを相対的に後方へ移動されていく。
【０１７３】
スライダー２０の前方への移動により、該スライダー２０の押圧面部２０ｄによって第１のカムスライダー４８が前方へ押圧され、図２８に示すように、昇降レバー５５のカム連結部５５ｂが第１のカムスライダー４８のカム部４９における第１の直線溝部４９ａから第１の傾斜溝部４９ｂへ相対的に移動されていく。同時に、第１のカムスライダー４８の前方への移動に同期して第２のカムスライダー５１が右方へ移動され、昇降レバー５５、５５のカム連結部５５ｂ、５５ｂがそれぞれ第２のカムスライダー５１のカム部５２、５２における第１の直線溝部５２ａ、５２ａから第１の傾斜溝部５２ｂ、５２ｂへ相対的に移動されていく。従って、第１のカムスライダー５５、５５、５５が回動されてモーターユニット５９が上昇されていく。
【０１７４】
このときピックアップユニット５６のピックアップベース５７に設けられた連結ピン５７ａ、５７ａはそれぞれ第１のカムスライダー４８のカム連結部５０と第２のカムスライダー５１のカム連結部５３の第１の直線部５０ａ、５３ａを相対的に移動されていく。従って、ピックアップユニット５６は上昇（回動）されない。
【０１７５】
昇降レバー５５においては、上記したように、回動支点部５５ａからカム連結部５５ｂまでの距離に対して回動支点部５５ａからユニット連結部５５ｃまでの距離が、例えば、約２倍にされているため、モーターユニット５９の昇降距離が、回動支点部５５ａとカム連結部５５ｂとの間の上下方向における距離に対して約２倍の距離とされる。
【０１７６】
スライダー２０が前方へ移動されていくときには、第１のカムスライダー４８と第２のカムスライダー５１を連結している連結レバー５４が回動され、被作用軸５４ｂがスライダー２０の作用溝２０ｅに挿入される。
【０１７７】
さらにスライダー２０が前方へ移動されると、昇降レバー５５、５５、５５のカム連結部５５ｂ、５５ｂ、５５ｂが引き続き第１の傾斜溝部４９ｂ、５２ｂ、５２ｂを相対的に移動される（図２９参照）。このときピックアップユニット５６のピックアップベース５７に設けられた連結ピン５７ａ、５７ａがそれぞれ第１のカムスライダー４８のカム連結部５０と第２のカムスライダー５１のカム連結部５３の第１の直線部５０ａ、５３ａから第１の傾斜部５０ｂ、５３ｂへ相対的に移動されていく。従って、モーターユニット５９が引き続き上昇されると共にピックアップユニット５６も上昇（回動）されていく。
【０１７８】
スライダー２０がさらに前方へ移動されていくと、昇降レバー５５、５５、５５のカム連結部５５ｂ、５５ｂ、５５ｂがそれぞれ第１の傾斜溝部４９ｂ、５２ｂ、５２ｂから第２の傾斜溝部４９ｃ、５２ｃ、５２ｃへ相対的に移動され、ピックアップユニット５６の連結ピン５７ａ、５７ａがそれぞれ第１の傾斜部５０ｂ、５３ｂから第２の直線部５０ｃ、５３ｃへ相対的に移動されていく（図３０参照）。従って、モーターユニット５９が引き続き上昇されると共にピックアップユニット５６の上昇が一旦停止される。
【０１７９】
引き続きスライダー２０が前方へ移動されていくと、昇降レバー５５、５５、５５のカム連結部５５ｂ、５５ｂ、５５ｂが引き続き第２の傾斜溝部４９ｃ、５２ｃ、５２ｃを相対的に移動される（図３１参照）。このときピックアップユニット５６の連結ピン５７ａ、５７ａがそれぞれ第２の直線部５０ｃ、５３ｃから第２の傾斜部５０ｄ、５３ｄへ相対的に移動されていく。従って、モーターユニット５９が引き続き上昇されると共にピックアップユニット５６も上昇されていく。
【０１８０】
ピックアップユニット５６の連結ピン５７ａ、５７ａが第２の傾斜部５０ｄ、５３ｄへ相対的に移動されていくときには、モーターユニット５９のモーター取付ベース６０がピックアップユニット５６のピックアップベース５７に下方から接触され、ピックアップユニット５６とモーターユニット５９が結合され一体となって上昇されていく。
【０１８１】
昇降レバー５５、５５、５５のカム連結部５５ｂ、５５ｂ、５５ｂはそれぞれ第２の傾斜溝部４９ｃ、５２ｃ、５２ｃの上端まで相対的に移動されていく（図３２参照）。
【０１８２】
昇降レバー５５、５５、５５のカム連結部５５ｂ、５５ｂ、５５ｂがそれぞれ第２の傾斜溝部４９ｃ、５２ｃ、５２ｃの上端まで相対的に移動されると共にピックアップユニット５６の連結ピン５７ａ、５７ａがそれぞれ第２の傾斜部５０ｄ、５３ｄの上端まで移動されたときには、図３３に示すように、ディスクテーブル６２のセンターリング突部６２ａがディスク状記録媒体１００の中心孔１００ａに挿入され、センターリング突部６２ａがアッパーシェル８の挿通孔８ａに挿入され、アッパーシェル８の下面にディスク状記録媒体１００が押し付けられて中心孔１００ａにセンターリング突部６２ａが嵌合されディスク状記録媒体１００がディスクテーブル６２に装着される。
【０１８３】
ディスク状記録媒体１００のディスクテーブル６２への装着時には、ディスク状記録媒体１００が上方へ移動されるが、このときディスク状記録媒体１００はロードレバー２４のローラー２４ｂ、イジェクトレバー３６のディスク保持ピン３７ａ、サポートレバー４０のディスク保持ピン４３ａ及びセンターリングレバー４４のディスク保持凹部４４ａによって外周側から保持された状態で外周面がこれらと摺接しながら移動される。
【０１８４】
スライダー２０は引き続き前方へ移動され、図３４に示すように、昇降レバー５５、５５、５５のカム連結部５５ｂ、５５ｂ、５５ｂはそれぞれ第３の傾斜溝部４９ｄ、５２ｄ、５２ｄを通って第３の直線溝部４９ｅ、５２ｅ、５２ｅまで相対的に移動され、ピックアップユニット５６の連結ピン５７ａ、５７ａはそれぞれ第３の傾斜部５０ｅ、５３ｅを通って第３の直線部５０ｆ、５３ｆまで相対的に移動されていく。従って、ピックアップユニット５６とモーターユニット５９は一体となって下降され、ディスク状記録媒体１００が水平状態とされる。
【０１８５】
上記したように、ディスクドライブ装置５にあっては、ピックアップユニット５６とモーターユニット５９はディスク状記録媒体１００が水平状態となる位置に対して上方側及び下方側において移動され、ディスク挿入口９ａからディスク状記録媒体１００が挿入されるときには、ピックアップユニット５６とモーターユニット５９が下方に位置されているため、ディスク挿入口９ａから挿入されたディスク状記録媒体１００とピックアップユニット５６及びモーターユニット５９とが接触し難く、ディスク状記録媒体１００の傷付きや損傷の防止を図ることができる。
【０１８６】
また、ピックアップユニット５６とモーターユニット５９が各別に動作（昇降）されるため、ピックアップユニット５６とモーターユニット５９をそれぞれの所望の範囲内で動作させる設計が可能となり、ディスクドライブ装置５の薄型化及び設計の自由度の向上を図ることができる。
【０１８７】
さらに、第１のカムスライダー４８と第２のカムスライダー５１にそれぞれモーターユニット５９を動作させるためのカム部４９、５２、５２とピックアップユニット５６を動作させるためのカム連結部５０、５３とを形成しているため、各別に動作されるピックアップユニット５６とモーターユニット５９の駆動源が一つの駆動モーター１９で済み、部品点数の削減によるディスクドライブ装置５の製造コストの低減及び配置スペースの低減によるディスクドライブ装置５の小型化を図ることができる。
【０１８８】
上記したように、モーターユニット５９の昇降は第１のカムスライダー４８と第２のカムスライダー５１の移動に伴う昇降レバー５５、５５、５５の回動動作を介して行われ、モーターユニット５９の昇降距離が、回動支点部５５ａとカム連結部５５ｂとの間の上下方向における距離に対して大きくされ（図２１及び図３２参照）、例えば、約２倍の距離とされている。
【０１８９】
従って、ディスクドライブ装置５の薄型化を確保した上でモーターユニット５９の大きな昇降量を確保することができる。
【０１９０】
また、第１のカムスライダー４８、第２のカムスライダー５１とピックアップユニット５６との間に介在される部品が昇降レバー５５、５５、５５の一部品だけであるため、製造コストの低減、各部品間の精度管理の容易化及び各部の組付性の容易化を図ることができる。
【０１９１】
さらに、ディスクドライブ装置５にあっては、昇降レバー５５、５５、５５を板状に形成し、該昇降レバー５５、５５、５５を第１のカムスライダー４８又は第２のカムスライダー５１とモーター取付ベース６０との間に面方向が両者を向く方向（左右方向又は上下方向）となるように配置しているため、昇降レバー５５、５５、５５の配置スペースが少なくて済み、ディスクドライブ装置５の小型化を図ることができる。
【０１９２】
スライダー２０は引き続き前方へ移動され、昇降レバー５５、５５、５５のカム連結部５５ｂ、５５ｂ、５５ｂはそれぞれ第３の直線溝部４９ｅ、５２ｅ、５２ｅを相対的に後方へ移動され、ピックアップユニット５６の連結ピン５７ａ、５７ａはそれぞれ第３の直線部５０ｆ、５３ｆを相対的に後方へ移動されていく。従って、ピックアップユニット５６とモーターユニット５９は上昇及び下降されない。
【０１９３】
このようにディスク状記録媒体１００のディスクテーブル６２に対する装着が行われた後はピックアップユニット５６とモーターユニット５９は上昇及び下降されないが、このときスライダー２０が前方へ移動されることにより、図３５に示すように、回動レバー２２の被押圧軸２２ｃが軸摺動溝２１の中側直線部２１ｃから後側斜行部２１ｄを経て後側直線部２１ｅまで相対的に後方へ移動されていく。従って、回動レバー２２及びロードレバー２４がＲ２方向へ回動され、ロードレバー２４のローラー２４ｂがディスク状記録媒体１００の外周面から外方へ離隔される。
【０１９４】
同時に、スライダー２０の前方への移動により駆動レバー２５がＲ１方向へ回動され、イジェクトレバー３６の規制ピン３６ｂが作用孔２９の後側突部２９ｃの開口縁によって略後方へ押圧され、イジェクトレバー３６のディスク保持ピン３７ａがディスク状記録媒体１００の外周面から外方へ離隔されイジェクトレバー３６が引込位置に至る。イジェクトレバー３６は規制ピン３６ｂが後側突部２９ｃの開口縁に係合されることにより引込位置においてロックされる。
【０１９５】
同時に、スライダー２０の前方への移動による駆動レバー１５のＲ１方向への回動によって、センターリングスライダー３１の被押圧片部３１ｂが駆動レバー２５の一方の被支持ピン２７ａによって後方へ押圧され、センターリングスライダー３１が後方へ移動されていく。センターリングスライダー３１が後方へ移動されると、作用突部３２のロック部３２ａがサポートレバー４０の一方の被ガイドピン４１ａに係合されると共に直線作用部３４がセンターリングレバー４４の被作用突部４４ｂから後方へ離隔される。従って、サポートレバー４０がＲ２方向へ回動されると共にセンターリングレバー４４がコイルバネ４５の付勢力によってＲ１方向へ回動され、サポートレバー４０のディスク保持ピン４３ａとセンターリングレバー４４がディスク状記録媒体１００の外周面から外方へ離隔される。サポートレバー４０はディスク保持ピン４３ａがロック部３２ａに係合されることにより引込位置においてロックされる。センターリングレバー４４は被作用突部４４ｂに傾斜作用部３３が右方から係合されることによりディスク状記録媒体１００から離隔した位置にロックされる。
【０１９６】
上記したように、ロードレバー２４のローラー２４ｂ、イジェクトレバー３６のディスク保持ピン３７ａ、サポートレバー４０のディスク保持ピン４３ａ及びセンターリングレバー４４によるディスク状記録媒体１００に対する保持が解除されると共にディスクテーブル６２によるディスク状記録媒体１００のチャッキングが行われることにより、ディスク状記録媒体１００が回転可能な状態とされる。
【０１９７】
このとき前方へ移動されたスライダー２０のスイッチ押圧部２０ｃによって検出スイッチ７３が操作され、駆動モーター１９の回転が停止される。
【０１９８】
ディスク状記録媒体１００はスピンドルモーター６１の回転によるディスクテーブル６２の回転に伴って回転され、光ピックアップ５８の駆動により情報信号の記録又は再生が行われる。
【０１９９】
尚、ピックアップユニット５６とモーターユニット５９は昇降動作の途中で結合され、少なくともディスク状記録媒体１００に対する情報信号の記録又は再生が行われるときにはモーターユニット５９とピックアップユニット５６が結合されているため、ディスク状記録媒体１００に対する情報信号の記録再生モードにおいてピックアップユニット５６とモーターユニット５９間の適正な位置関係を確保することができる。
【０２００】
ディスク状記録媒体１００に対する情報信号の記録又は再生が終了すると、図示しないイジェクト釦に対する使用者の操作により、駆動モーター１９の反転方向への回転が開始される。
【０２０１】
駆動モーター１９が反転方向へ回転されると、スライダー２０が後方へ移動され、上記とは逆の動作により再びディスク状記録媒体１００の外周面がロードレバー２４のローラー２４ｂ、イジェクトレバー３６のディスク保持ピン３７ａ、サポートレバー４０のディスク保持ピン４３ａ及びセンターリングレバー４４によって保持される。
【０２０２】
このときスライダー２０の後方への移動により駆動レバー２５がＲ２方向へ回動され、センターリングスライダー３１の被押圧片部３１ｂに対する駆動レバー２５の被支持ピン２７ａの係合が解除され、センターリングスライダー３１は前方の移動端まで引張コイルバネ３５の付勢力によって移動され、センターリングスライダー３１の前方への移動により作用突部３２のロック部３２ａによるサポートレバー４０に対するロックが解除され、センターリングスライダー３１の傾斜作用部３３の被作用突部４４ｂに対する係合が解除されると共に直線作用部３４が被作用突部４４ｂに係合されてセンターリングレバー４４がコイルバネ４５の付勢力によってＲ２方向へ回動される。
【０２０３】
続いて、スライダー２０の後方への移動による第１のカムスライダー４８の後方への移動と第２のカムスライダー５１の左方への移動によってディスクテーブル６２に対するディスク状記録媒体１００のチャッキングが解除される。
【０２０４】
第１のカムスライダー４８と第２のカムスライダー５１の移動は、両者を連結している連結レバー５４の被作用軸５４ｂがスライダー２０における作用溝２０ｅの開口縁によって後方へ押圧されることにより行われる。
【０２０５】
ディスク状記録媒体１００のチャッキングの解除は、ディスク状記録媒体１００がロードレバー２４、イジェクトレバー３６のディスク保持部３７、サポートレバー４０のディスク保持部４３及びセンターリングレバー４４に保持された状態において、モーターユニット５９が下降されディスク状記録媒体１００の下面がピックアップベース５７に接することによりディスクテーブル６２のセンターリング突部６２ａからディスク状記録媒体１００が引き剥がされることにより行われる。
【０２０６】
ピックアップユニット５６及びモーターユニット５９が下降されディスク状記録媒体１００のチャッキングが解除されると、ディスク状記録媒体１００のディスク挿入口９ａからの排出動作が行われ、スライダー２０が引き続き後方へ移動される。
【０２０７】
スライダー２０の後方への移動により、駆動レバー２５がＲ２方向へ回動され、該駆動レバー２５の被支持面部２６に形成された押圧部２６ａによってイジェクトレバー３６の下面側に取り付けられた被押圧部材３９の被押圧部３９ａが略前方へ押圧されイジェクトレバー３６がＲ１方向へ回動されてディスク状記録媒体１００がディスク保持ピン３７ａによって前方へ押圧されていく。ディスク状記録媒体１００が前方へ移動されていくと、その一部がディスク挿入口９ａから前方へ突出されていく。
【０２０８】
このとき駆動レバー２５がＲ２方向へ回動されると共にイジェクトレバー３６がＲ１方向へ回動され、駆動レバー２５の押圧部２６ａによって押圧される被押圧部材３９の押圧される位置及び方向が駆動レバー２５とイジェクトレバー３６の各回動位置に応じて変化されていく（図３７乃至図３９参照）。
【０２０９】
駆動レバー２５の押圧部２６ａによって押圧される被押圧部材３９の押圧される方向は、図３７乃至図３９に示すように、イジェクトレバー３６の回動支点と押圧される位置を結んだ線分に対して略直交する方向（図３７乃至図３９に示す矢印方向）とされイジェクトレバー３６の回動動作に対する押圧力のロスが少なくなるように設定されている。
【０２１０】
従って、イジェクトレバー３６の回動動作に関する動作効率の向上が図られ、駆動モーター１９のトルクを上げることなく、イジェクト動作の信頼性の向上を図ることができる。
【０２１１】
スライダー２０がさらに後方へ移動されると、イジェクトレバー３６によってディスク状記録媒体１００がさらに前方へ押圧されイジェクトレバー３６が待受位置に至ったところでディスク保持ピン３７ａによるディスク状記録媒体１００に対する押圧が終了する。このときサポートレバー４０は引張コイルバネ３５の付勢力によってＲ１方向へ回動されディスク状記録媒体１００の前方への移動に追従され、回動レバー２２とロードレバー２４は該ロードレバー２４のローラー２４ｂがディスク状記録媒体１００の外周面に接触された状態で回動されていく。
【０２１２】
イジェクトレバー３６が待受位置まで回動されるときには、被押圧部材３９のスイッチ押圧部３９ａによって起動スイッチ７２が再び操作される。
【０２１３】
このようにディスクドライブ装置５にあっては、ディスク状記録媒体１００のイジェクト時に駆動レバー２５の押圧部２６ａによって押圧される被押圧部材３９に起動スイッチ７２を操作するスイッチ押圧部３９ａを形成しているため、起動スイッチ７２を操作する専用の部材が不要であり、部品点数の削減による機構の簡素化を図ることができる。
【０２１４】
引き続きスライダー２０は後方へ移動され、駆動レバー２５のＲ２方向への回動により、駆動レバー２５の延設部２７に設けられた作用部２７ｂによってサポートレバー４０の被ガイドピン４１ａが略前方へ押圧される（図４０参照）。従って、ディスク状記録媒体１００はサポートレバー４０のディスク保持ピン４３ａによって押圧されて前方へ移動される。このときサポートレバー４０には引張コイルバネ３５の付勢力によるＲ２方向への回動力が付与されている。
【０２１５】
上記のようにイジェクト動作の終了直前にイジェクトレバー３６によるディスク状記録媒体１００に対する押圧を解除し、引張コイルバネ３５の付勢力が付与されたサポートレバー４０によってディスク状記録媒体１００をイジェクトするようにしており、イジェクト動作の終了直前には引張コイルバネ３５の付勢力が小さいため、ディスク挿入口９ａからのディスク状記録媒体１００の過度の飛出を防止することができる。
【０２１６】
また、センターリングスライダー２５に作用部２７ｂを設け、該作用部２７ｂによってサポートレバー４０の被ガイドピン４１ａを押圧してディスク状記録媒体１００をイジェクトするようにしているため、サポートレバー４０の回動動作が確実に行われディスク状記録媒体１００のイジェクトを確実に行うことができる。
【０２１７】
さらに、イジェクトレバー３６の回動動作が終了した後においても引き続きサポートレバー４０が回動されてディスク状記録媒体１００を押圧してディスク挿入口９ａから排出するようにしているため、ディスク状記録媒体１００をディスク挿入口９ａから所定の量だけ確実に突出させることができる。
【０２１８】
スライダー２０の後方への移動により、スイッチ押圧部２０ｃによって後側に位置された検出スイッチ７４が操作されると、駆動モーター１９の回転が停止されスライダー２０の後方への移動が停止される。
【０２１９】
使用者は、ディスク挿入口９ａから突出した部分を把持してディスク状記録媒体１００をディスクドライブ装置５から取り出すことができる。
【０２２０】
尚、スライダー２０のスイッチ押圧部２０ｃによって検出スイッチ７４が操作されることによりスライダー２０の後方への移動が停止されるが、この停止位置は初期状態における位置（図１９参照）より後方とされている。ディスクドライブ装置５にあっては、ディスク状記録媒体１００のイジェクト動作が終了しスライダー２０が後方の移動端で停止された後に、駆動モーター１９が再び正転方向へ回転され、各部が初期状態（図１９乃至図２１参照）に戻るようにプログラムが設定されている。
【０２２１】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０２２２】
【図１】図２乃至図４０と共に本発明を実施するための最良の形態を示すものであり、本図は電子機器の斜視図である。
【図２】ディスクドライブ装置とディスク状記録媒体を示す斜視図である。
【図３】ディスクドライブ装置の分解斜視図である。
【図４】ディスクドライブ装置を示す斜視図である。
【図５】ディスクドライブ装置を示す概略平面図である。
【図６】シャーシの拡大斜視図である。
【図７】スライダーの拡大斜視図である。
【図８】回動レバーとロードレバーを示す拡大斜視図である。
【図９】駆動レバーとスライダーの一部を示す拡大分解斜視図である。
【図１０】センターリングスライダーとセンターリングレバーを示す拡大分解斜視図である。
【図１１】イジェクトレバー、サポートレバー及び被押圧部材をシャーシの一部とともに示す拡大斜視図である。
【図１２】被押圧部材の拡大平面図である。
【図１３】第１のカムスライダー、第２のカムスライダー及び連結レバーをシャーシの一部とともに示す拡大斜視図である。
【図１４】モーターユニットを示す拡大斜視図である。
【図１５】ピックアップユニットとモーターユニットの一部の背面側を示す拡大斜視図である。
【図１６】モーターユニットをベース板を取り外して示す拡大斜視図である。
【図１７】ピックアップユニットとモーターユニットの一部を示す拡大断面図である。
【図１８】姿勢保持用板バネの保持状態を示す拡大斜視図である。
【図１９】図２０乃至図４０と共にディスクドライブ装置の動作を示すものであり、本図は、初期状態を示す概略平面図である。
【図２０】初期状態を示す概略側面図である。
【図２１】昇降レバー等の初期状態を示す概略拡大側面図である。
【図２２】ディスク状記録媒体のディスク挿入口からの挿入が開始された状態を示す概略平面図である。
【図２３】図２２に引き続き駆動モーターの正転方向への回転が開始された状態を示す概略平面図である。
【図２４】回動レバーの被押圧片部がスライダーの押圧部によって押圧されている状態を示す概略平面図である。
【図２５】図２４に引き続き回動レバーの被押圧軸がスライダーの押圧部によって押圧されている状態を示す概略平面図である。
【図２６】イジェクトレバーの規制ピンによって駆動レバーの回動動作が規制されている状態を示す概略平面図である。
【図２７】図２３に引き続きディスク状記録媒体のセンターリングが完了した状態を示す概略平面図である。
【図２８】図２９乃至図３４と共にディスク状記録媒体がチャッキングされるときのピックアップユニット及びモーターユニット等の状態を示すものであり、本図は、チャッキング動作が開始された直後の状態を示す概略側面図である。
【図２９】図２８に引き続きチャッキング動作が行われている状態を示す概略側面図である。
【図３０】図２９に引き続きチャッキング動作が行われている状態を示す概略側面図である。
【図３１】図３０に引き続きチャッキング動作が行われている状態を示す概略側面図である。
【図３２】モーターユニットが最上端まで移動されたときの昇降レバー等の状態を示す概略拡大側面図である。
【図３３】図３２に引き続きディスク状記録媒体が装着された状態を示す概略側面図である。
【図３４】図３３に引き続きチャッキング動作が完了した状態を示す概略側面図である。
【図３５】ディスク状記録媒体のチャッキングが完了し記録再生が可能な位置にあるときの状態を示す概略平面図である。
【図３６】イジェクト動作が行われている途中の状態を示す概略平面図である。
【図３７】図３８及び図３９と共にセンターリングスライダーの押圧部により被押圧部材の押圧される位置が変化する状態を示すものであり、本図は、押圧が開始された直後の状態を示す概略拡大平面図である。
【図３８】図３７に引き続く状態を示す概略拡大平面図である。
【図３９】図３８に引き続く状態を示す概略拡大平面図である。
【図４０】イジェクト動作が完了した状態を示す概略平面図である。
【符号の説明】
【０２２３】
１００…ディスク状記録媒体、１…電子機器、５…ディスクドライブ装置、９ａ…ディスク挿入口、１２…シャーシ、２０…スライダー、２５…駆動レバー、２６ａ…押圧部、２７ｂ…作用部、３６…イジェクトレバー、３７…ディスク保持部、３９…被押圧部材、３９ａ…スイッチ押圧部、４０…サポートレバー、６２…ディスクテーブル、７２…起動スイッチ
【図１】
2008226357.tif 000003
【図２】
2008226357.tif 000004
【図３】
2008226357.tif 000005
【図４】
2008226357.tif 000006
【図５】
2008226357.tif 000007
【図６】
2008226357.tif 000008
【図７】
2008226357.tif 000009
【図８】
2008226357.tif 000010
【図９】
2008226357.tif 000011
【図１０】
2008226357.tif 000012
【図１１】
2008226357.tif 000013
【図１２】
2008226357.tif 000014
【図１３】
2008226357.tif 000015
【図１４】
2008226357.tif 000016
【図１５】
2008226357.tif 000017
【図１６】
2008226357.tif 000018
【図１７】
2008226357.tif 000019
【図１８】
2008226357.tif 000020
【図１９】
2008226357.tif 000021
【図２０】
2008226357.tif 000022
【図２１】
2008226357.tif 000023
【図２２】
2008226357.tif 000024
【図２３】
2008226357.tif 000025
【図２４】
2008226357.tif 000026
【図２５】
2008226357.tif 000027
【図２６】
2008226357.tif 000028
【図２７】
2008226357.tif 000029
【図２８】
2008226357.tif 000030
【図２９】
2008226357.tif 000031
【図３０】
2008226357.tif 000032
【図３１】
2008226357.tif 000033
【図３２】
2008226357.tif 000034
【図３３】
2008226357.tif 000035
【図３４】
2008226357.tif 000036
【図３５】
2008226357.tif 000037
【図３６】
2008226357.tif 000038
【図３７】
2008226357.tif 000039
【図３８】
2008226357.tif 000040
【図３９】
2008226357.tif 000041
【図４０】
2008226357.tif 000042